(57)【特許請求の範囲】
【請求項１】
背面側の側板の上縁に折曲げ可能に蓋板を連設するとともに、該蓋板の前端側縁部に破断線を介して接合片を連設し、該接合片を前面側の側板の上部に糊付けして接合するようにした包装箱であって、
前記前面側の側板の上部であって前記接合片と糊付けされる部位に横方向に延びる破断線が形成され、該破断線と前記前面側の側板の上端との間の高さ方向の間隔が前記接合片の高さ方向の寸法より小さくなっており、前記接合片の下縁が前記前面側の側板の前記破断線よりも下方に位置し、
前記前面側の側板の前記破断線の終端に縦方向の切込みが形成され、該縦方向の切込みから前記前面側の側板の前記破断線の上側の部位を前記接合片とともに破断するようにし、
前記接合片の側端であって前記前面側の側板の縦方向の切込み側の側端に切欠きが形成され、該切欠きによって前記接合片の側端が横方向に短くなっていることを特徴とする包装箱。
【請求項２】
前記縦方向の切込みが前記前面側の側板と該前面側の側板と折曲げ可能に連結された側板フラップとのコーナの部位に形成され、しかも前記切込みの下端が前記破断線に連結され、前記前面側の側板の前記破断線の上側であって、前記切込みの前面側の部位がつまみ片を形成することを特徴とする請求項１に記載の包装箱。
【請求項３】
単一の連続する段ボールから組立てられ、前記前面側の側板と底板と前記背面側の側板と前記蓋板と前記接合片とが折曲げ可能に連結され、前記前面側の側板と前記背面側の側板の両側端に連設された側板フラップが互いに突合わされて側面側開口が閉塞され、しかも前記底板と前記蓋板の両側端に連設された補助フラップが前記側板フラップ上において互いに突合わされた状態で前記側板フラップに接合されることを特徴とする請求項１に記載の包装箱。
【請求項４】
飲料、流動食、発酵乳、豆腐等のような液体、固体、またはゲル状物質の飲食品を内容物とする個装ケースを複数個収納する請求項１〜３の何れかに記載の包装箱。
【請求項５】
個装ケース内に収納されるとともに、前記個装ケースが請求項１〜３の何れかに記載の包装箱に収納された飲料、流動食、発酵乳、または豆腐から成る液体、固体、またはゲル状物質の飲食品。
【発明の詳細な説明】
【技術分野】
【０００１】
本発明は包装箱に係り、とくに背面側の側板の上縁に折曲げ可能に蓋板を連設し、該蓋板によって上部開口を閉じるようにした包装箱に関する。
【背景技術】
【０００２】
例えば特開２００４−１５５４７８号公報に記載されているように、連続する単一の段ボール原紙を角筒状に折曲げるとともに、両側端の開口を側面板によって閉じるようにした、いわゆるラップアラウンドケースと称される包装箱が、物流のための包装手段として用いられている。
【０００３】
このラップアラウンドケースの一例を図１〜図３によって説明すると、単一の段ボール原紙によって、図１に示すように、前面側の側板１０、底板１１、背面側の側板１２、蓋板１３が折曲げ線１４によって互いに折曲げ可能に連続して形成される。また蓋板１３の先端側には折曲げ線１５を介して接合片１６が形成される。
【０００４】
一方、この段ボール原紙の上記前面側の側板１０と背面側の側板１２の両端には、それぞれ折曲げ線１９を介して側板フラップ２０が形成されている。これに対して底板１１および蓋板１３の両側には、それぞれ折曲げ線２１を介して補助フラップ２２が形成されている。そして、上記前面側の側板１０から両側の側板フラップ２０にかけてと、背面側の側板１２から側板フラップ２０にかけて、それらの高さ方向のほぼ中間に位置するように、この段ボール原紙の内表面に横方向に延びて、カットテープ２３が接着されている。
【０００５】
このような構造の段ボール原紙によって、図２に示すような直方体状をなすラップアラウンドケースが組立てられる。すなわち、折曲げ線１４によって前面側の側板１０、底板１１、背面側の側板１２、蓋板１３を順次折曲げて四角筒状にし、しかも左右の両側の開口を折曲げ線１９によって側板フラップ２０を折曲げて閉塞し、さらに折曲げ線２１によって補助フラップ２２を折曲げ、上記側板フラップ２０に接合する。
【０００６】
このような包装箱は、蓋板１３を開いて内部に所定の物品、たとえば個装ケース２４を収納するとともに、この状態で蓋板１３を閉じる。そして、蓋板１３の先端側の接合片１６を折曲げ線１５によって前面側の側板１０の前面に重合わせるようにし、この接合片１６を前面側の側板１０の上縁側に糊付けする。開封する場合には、とくに図３に示すように、前面側の側板１０および背面側の側板１２の内表面から両側の側板フラップ２０にかけて貼付けられているカットテープ２３を引っ張り、これによって側板フラップ２０、前面側の側板１０および背面側の側板１２をその高さ方向の中間の位置でカットする。これによって包装箱は、高さ方向の中間の位置で上下に２分割されることになり、上側の部分を取外すことによって、図３に示すように、内部に収納された個装ケース２４が露出する。
【０００７】
このような従来のラップアラウンドケースは、個装ケース２４等の内容物の重量が増大すると、このラップアラウンドケースを組立てるための段ボールの材質強度を高めることを要し、またカットテープ２３の端部の引出しと、前面側の側板１０、背面側の側板１２および側板フラップ２０の切断のために、より大きな力が必要になる。また図３に示すように、この包装箱を上下に２分割しないと個装ケース２４を取出すことができず、半端な個装ケース２４をこの包装箱内に残留した状態で保管する場合に、個装ケース２４を衛生的な状態で保管することができず、汚損される可能性がある。また保管時における荷姿も不安定になる問題がある。
【０００８】
実開平２−８０５２９号のマイクロフィルムには、互いに折曲げ線を介して、前側壁、底壁、後側壁、蓋壁を連設し、前記各壁の両側に折曲線を介して壁フラップを連設し、該壁フラップは互いに切目線によって分離され、底壁両側の壁フラップには糊付部を設け、蓋壁両側の壁フラップにはジッパーを設け、ジッパーの外側は糊付部とすると共に、蓋壁の端縁に折曲線及びジッパーを設け、一面を糊付部としたフラップを延設したカートンが開示されている。
【０００９】
このようなカートンは、蓋壁とこの蓋壁の前縁に連設されているフラップとの間の折曲線を切断することによって上面側の開口部を開放することが可能になる。従って、個装ケース等の内容物が残っている場合には、再び蓋壁を閉じて保管することが可能になる。
【００１０】
ところが、この種のラップアラウンドケースでは、蓋壁の前縁側のフラップの高さ方向の寸法が小さいため、強度、とくに高さ方向の耐圧（圧縮）強度に劣る欠点がある。また蓋壁を開いた状態において上部開口が露出されるものの、このときに前面壁の上縁は箱の上縁と同じ高さにあるため、個装ケース等の内容物を取出す際に、個装ケースをつかみ難い欠点がある。
【先行技術文献】
【特許文献】
【００１１】
【特許文献１】特開２００４−１５５４７８号公報
【特許文献２】実開平２−８０５２９号のマイクロフィルム
【発明の概要】
【発明が解決しようとする課題】
【００１２】
本願発明の課題は、開封時に必要な力が小さくて済むようにした包装箱を提供することである。
【００１３】
本願発明の別の課題は、内部に多数の個装ケースが残っている場合に、このような個装ケースを衛生的に保管できるようにした包装箱を提供することである。
【００１４】
本願発明のさらに別の課題は、開封のためのカットテープを内表面に接合することを要せず、これによって部品点数を削減して、コストを低減するようにした包装箱を提供することである。
【００１５】
本願発明のさらに別の課題は、破断線を形成しても強度の劣化を受け難くし、これによって梱包品質の確保を可能にした包装箱を提供することである。
【００１６】
本願発明の上記の課題および別の課題は、以下に述べる本願発明の技術的思想、およびその実施の形態によって明らかにされる。
【課題を解決するための手段】
【００１７】
本願の主要な発明は、背面側の側板の上縁に折曲げ可能に蓋板を連設するとともに、該蓋板の前端側縁部に破断線を介して接合片を連設し、該接合片を前面側の側板の上部に糊付けして接合するようにした包装箱であって、
前記前面側の側板の上部であって前記接合片と糊付けされる部位に横方向に延びる破断線が形成され、該破断線と前記前面側の側板の上端との間の高さ方向の間隔が前記接合片の高さ方向の寸法より小さくなっており、前記接合片の下縁が前記前面側の側板の前記破断線よりも下方に位置し、
前記前面側の側板の前記破断線の終端に縦方向の切込みが形成され、該縦方向の切込みから前記前面側の側板の前記破断線の上側の部位を前記接合片とともに破断するようにし、
前記接合片の側端であって前記前面側の側板の縦方向の切込み側の側端に切欠きが形成され、該切欠きによって前記接合片の側端が横方向に短くなっていることを特徴とする包装箱に関するものである。
【００１８】
ここで、前記縦方向の切込みが前記前面側の側板と該前面側の側板と折曲げ可能に連結された側板フラップとのコーナの部位に形成され、しかも前記切込みの下端が前記破断線に連結され、前記前面側の側板の前記破断線の上側であって、前記切込みの前面側の部位がつまみ片を形成するようにしてよい。また単一の連続する段ボールから組立てられ、前記前面側の側板と底板と前記背面側の側板と前記蓋板と前記接合片とが折曲げ可能に連結され、前記前面側の側板と前記背面側の側板の両側端に連設された側板フラップが互いに突合わされて側面側開口が閉塞され、しかも前記底板と前記蓋板の両側端に連設された補助フラップが前記側板フラップ上において互いに突合わされた状態で前記側板フラップに接合されてよい。
また、飲料、流動食、発酵乳、豆腐等のような液体、固体、またはゲル状物質の飲食品を内容物とする個装ケースを複数個収納するようにしてよい。また個装ケース内に収納されるとともに、前記個装ケースが上記の何れかの包装箱に収納された飲料、流動食、発酵乳、または豆腐から成る液体、固体、またはゲル状物質の飲食品であってよい。
【発明の効果】
【００１９】
本願の主要な発明は、背面側の側板の上縁に折曲げ可能に蓋板を連設するとともに、該蓋板の前端側縁部に破断線を介して接合片を連設し、該接合片を前面側の側板の上部に糊付けして接合するようにした包装箱であって、
前記前面側の側板の上部であって前記接合片と糊付けされる部位に横方向に延びる破断線が形成され、該破断線と前記前面側の側板の上端との間の高さ方向の間隔が前記接合片の高さ方向の寸法より小さくなっており、前記接合片の下縁が前記前面側の側板の前記破断線よりも下方に位置し、
前記前面側の側板の前記破断線の終端に縦方向の切込みが形成され、該縦方向の切込みから前記前面側の側板の前記破断線の上側の部位を前記接合片とともに破断するようにし、
前記接合片の側端であって前記前面側の側板の縦方向の切込み側の側端に切欠きが形成され、該切欠きによって前記接合片の側端が横方向に短くなっているものである。
【００２０】
従って、このような包装箱によると、接合片と前面側の側板の破断線とを一緒に破断することによって、蓋板を開封して内容物を取出すことができる。しかも蓋板は、開封された状態において背面側の側板の上縁に折曲げ可能に連結された状態になっているために、個装ケース等の内容物が残っている場合には、蓋板を再び閉じることによって、内容物を衛生的に保管することができる。また開封された状態において前面側の側板の上縁の部分では、破断線よりも上側の部分が除去されるため、内容物の取出しが容易になる。さらに、前面側の側板の破断線の部分に接合される接合片は、その下縁が破断線よりも下側まで延びているため、耐圧強度が高く、強度がある材料を用いることなく、しかも強度的に優れた包装箱を提供することが可能になる。
【図面の簡単な説明】
【００２１】
【図１】従来のラップアラウンドケースの展開平面図である。
【図２】同ラップアラウンドケースの組立て状態の斜視図である。
【図３】同ラップアラウンドケースの開封の状態を示す斜視図である。
【図４】本願発明の一実施の形態に係るラップアラウンドケースの展開平面図である。
【図５】同ラップアラウンドケースの組立て動作を示す斜視図である。
【図６】同組立てた状態の斜視図である。
【図７】同要部拡大正面図である。
【図８】図７におけるＡ〜Ａ線断面図である。
【図９】接合片および破断線の端部の構造を示す要部斜視図である。
【図１０】同要部拡大横断面図である。
【図１１】開封の動作を示す要部斜視図である。
【図１２】蓋を半ば開いた状態の斜視図である。
【発明を実施するための形態】
【００２２】
図４は本実施の形態に係るラップアラウンドケースを組立てるための段ボール原紙３０の展開平面図である。この段ボール原紙３０は、前面側の側板３１、底板３２、背面側の側板３３、蓋板３４を備え、これらの板状部が互いに平行な３本の折曲げ線３５を介して互いに折曲げ可能に連結されている。また蓋板３４の端部には接合片３６がジッパー状の破断線３７によって折曲げ可能であって、しかも破断可能に連結されている。
【００２３】
上記前面側の側板３１の両側には、側板フラップ４０が折曲げ線４１を介して折曲げ可能に連結されている。また背面側の側板３３の両側には、側板フラップ４２が折曲げ線４３を介して折曲げ可能に連結されている。これに対して底板３２の両側には、補助フラップ４４が折曲げ線４５を介して折曲げ可能に連結されている。また蓋板３４の両側には、補助フラップ４６が破断線４７を介して折曲げ可能に連結されている。底板３２の両側の補助フラップ４４と蓋板３４の両側の補助フラップ４６には、それぞれ斜め４５度の折曲げ線が２本ずつ、「ハ」の字状に配置されている。
【００２４】
上記前面側の側板３１の上端には、横方向に延びるジッパー状の破断線５２が形成されている。この破断線５２の位置として、この破断線５２の右端側は縦方向の切込み５３によって終わっており、また、この破断線５２の反対側の端部は縦方向の切込み５４によって終わっている。左端側の縦方向の切込み５４は、前面側の側板３１と側板フラップ４０とのコーナの部分に形成されているのに対し、右側の縦方向の切込み５３は、前面側の側板３１と側板フラップ４０とのコーナの部分よりも側板フラップ４０側に侵入するように形成されており、組立てられると、図６に示すように、切込み５３が前面側の側板３１と補助フラップ４６とのコーナの湾曲部分の終端であって、側板フラップ４０側に位置するようになっている。一方、上記破断線５２の上側の部分において、前面側の側板３１と接合される蓋板３４の接合片３６は切欠き５５を備え、この切欠き５５によって、前面側の側板３１の破断線５２の上側の部分よりも短くなっている。そして、接合片３６は破断線５２の上側の領域において、前面側の側板３１と糊付け部分５７によって糊付けされている（図８参照）。また図４に示すように、上記補助フラップ４６の側端には、段部５８が形成され、とくに前面側の側板３１の破断線５２の上側であって、縦方向の切込み５３の上側の部分を逃げるようにしている。
【００２５】
次に、以上のような構成に係る段ボール原紙３０に用いて、ラップアラウンドケースを組立てる動作を説明する。図４に示す段ボール原紙３０を、折曲げ線３５のところで折曲げるようにし、前面側の側板３１、底板３２、背面側の側板３３、蓋板３４によって角筒状に組立てる。そして、図５に示すように、前面側の側板３１の両側の側板フラップ４０と背面側の側板３３の両側の側板フラップ４２とをそれぞれ折曲げ線４１、４３のところで直角に折曲げるようにし、側板フラップ４０、４２の先端部を突合わせて側面側開口を閉塞する。そして、さらに、底板３２の両側の補助フラップ４４を折曲げ線４５のところで折曲げるようにし、補助フラップ４４を側板フラップ４０、４２に接合する。
【００２６】
このようにして、ほぼ直方体状をなすラップアラウンドケースが組立てられる。このようなラップアラウンドケース内には、各種の物品が収納される。例えば複数個の個装ケース６０を収納するようにしている。そして、図６に示すように、このような状態で、蓋板３４を折曲げ線３５のところで折曲げて上部開口を閉塞する。そして、蓋板３４の両端の補助フラップ４６を破断線４７のところで下方に折曲げ、両側の側板フラップ４０、４２の上に接合して糊付けする。さらに蓋板３４の前端側の接合片３６を破断線３７のところで直角に折曲げるようにし、この接合片３６を前面側の側板３１の上縁であって、破断線３７の上側の部分に糊付けして接合する。これによって蓋板３４が上部開口を閉塞した状態で、この箱が閉じられるようになる。従って、このようにして個装ケース６０等を梱包した状態で、物流に供される。
【００２７】
次に、上述のようにして梱包された個装ケース６０等の内容物が入っているこの包装箱を開封する動作について説明する。この開封動作は、図７〜図１１に示すように、前面側の側板３１の上端であって、破断線５２の右側の部分の縦方向の切込み５３によって画成される端部を指でつまむことにより破断される。ここで、とくに前面側の側板３１の破断線５２の上側の部分であって、縦方向の切込み５３が、この前面側の側板３１と側板フラップ４０とのコーナ部分にかかっており、弾発力によって破断線５２の上側の部分であって、縦方向の切込み５３が先端に形成されている部分が外方に突出している。従って、このような部分を指でつまんで手前に引っ張ることにより、開封動作が行なわれる。
【００２８】
本実施の形態では、例えば縦方向の切込み５３をつまんで右から左方向へ引っ張ることとなる。このとき、ジッパー状の破断線５２や３７の右端側（つまむ最初の箇所）では他の箇所に比べて、ミシン目の間隔（幅）を大きく設けることが破断線の最初の箇所を弱い力で容易に切り破れるため好ましい。なお、ここでは日本人に多い右利きを想定し、右手でつまんで右から左方向へ手前に引き寄せる開封方式を設けている。段ボールを切り破って開封する力として、右から左方向へ手前に引き寄せる（引っ張る）方が強い力を出しやすいことから、この開封方式を設けている。
【００２９】
図８に示すように、前面側の側板３１の破断線５２の上側の領域において、接合片３６と前面側の側板３１とが互いに糊付け部分５７において接合されている。従って、上記縦方向の切込み５３の端部をつまんで図１１に示すように前方に引っ張ると、破断線５２によって前面側の側板３１の上側の部分が破断される。このときに同時に、糊付け部分５７によって破断線５２の上側に接合されている接合片３６は、蓋板３４との連結部の破断線３７のところで一緒に破断される。従って、破断線５２によって前面側の側板３１の上縁を完全に横方向に切断すると、蓋板３４の前端縁の部分が前面側の側板３１から分離される。そして、この後に、この蓋板３４の前端縁の部分を上方に引っ張ると、蓋板３４の両側の部分であって、補助フラップ４６との間の破断線４７の部分で破断され、これによって図１２に示すように開封が行なわれる。従って、この状態で蓋板３４を開き、内部の個装ケース６０等を任意に取出すことができる。このとき、この包装箱が上部開口のみならず、前面側の側板３１の破断線５２の上側の部分も開かれているため、個装ケース６０等を取出すのに便利である。すなわち、前面側の側板３１がこの箱の上縁まで延びている場合には、個装ケース６０に指を掛け難くなるのに対し、破断線５２の部位まで露出するため、個装ケース６０の取出しが非常に容易になる。そのため、この包装箱は、個装ケース６０の内容物が重量物である場合において特に適しており、例えば飲料、流動食、発酵乳、豆腐等のような液体、固体、ゲル状物質等の飲食品において適している。
【００３０】
このとき、この破断線５２の形状は直線状でも曲線状でもよく、例えば波線状やジグザグ状なのでもよい。なお、この破断線５２の部位は、包装箱の耐圧強度や個装ケース６０の取出し易さなどの観点から、包装箱の縦方向の上側から２分の１以上の位置が好ましく、３分の１以上の位置がより好ましく、４分の１以上の位置がさらに好ましい。
【００３１】
このように本実施の形態のラップアラウンドケースタイプの包装箱は、蓋板３４を開封した状態においても、この蓋板３４が背面側の側板３３に折曲げ可能に連結された状態になっているため、個装ケース６０等が中に残っている状態で保管する際に、内部の個装ケース６０を保護することが可能になる。また、このときに蓋板３４を完全に閉じておくことによって、端数の個装ケース６０を衛生的に保管できるようになる。また開封動作が前面側の側板３１の破断線５２と、蓋板３４の前端側の破断線３７とを破断することによって開封される。ここで破断線５２、３７は何れもジッパー型の破断線から構成されている。さらに蓋板３４の両側の部分の破断線４７もまたジッパー型の破断線から構成されている。従って、破断による開封の際に、この段ボール原紙３０の材質による引裂き強度の影響を受け難くすることができる。またジッパー型の破断線５２、３７、４７によって破断するために、開封時に必要な力が少なくて済むことになる。
【００３２】
また、この実施の形態の包装箱では、とくに蓋板３４の前端側の接合片３６の高さ方向の寸法が前面側の側板３１の高さ方向の上縁と、この前面側の側板に形成されている破断線５２との間の高さ方向の間隔よりも大きく、接合片３４の下縁が破断線５２よりも下側に位置しているため、前面側の側板３１に横方向に延びる切断線５２を形成しても上下方向の強度の劣化が少なくなり、耐圧強度に優れた包装箱になる。とくにジッパー型の破断線５２を形成しても、耐圧強度が高く、包装品質の確保が可能になる。
【００３３】
また本実施の形態の包装箱では、図４から明らかな如く、この段ボール原紙３０の破断位置に予めカットテープを貼付しておく必要がなく、カットテープを廃することが可能になる。従って、余分な部品が必要でなく、これによってコストダウンが可能になる。
【００３４】
以上、本願発明を図示の実施の形態によって説明したが、本願発明は上記実施の形態によって限定されることなく、本願発明の技術的思想の範囲内において各種の変更が可能である。
【００３５】
例えば上記実施の形態における、具体的な縦横および高さ方向の寸法については、梱包する個装ケース６０等の内容物に応じて各種の変更が可能である。また本実施の形態の包装箱は、各種の内容物を梱包して物流に供するのに広く適用可能である。
【実施例】
【００３６】
（実施例１）包装箱の耐圧強度の検討 ： 製品（ブリックパック 1000mL）
・ 製品なしの包装箱の耐圧（圧縮）強度 ： 空箱の場合
ブリックパック 1000mL（製品）の入っていない状態で、包装箱の耐圧強度を測定した。
【００３７】
従来品（図２）の耐圧強度 ＝ 3077 N
発明品（図６）の耐圧強度 ＝ 2840 N
製品なしの包装箱の場合、従来品と発明品とで耐圧強度は同等であった。
【００３８】
ブリックパック（1000mL）×6本 = 1箱分（7.3 kg）の荷重の負荷について計算した。パレットで6段積みの場合、最下段（6段）では5段（箱）分の36.5 kgの荷重となる。ここで、36.5 kg × 9.81 N/kg = 358 N となる。
【００３９】
従来品（図２）の安全率 ＝ 3077 N ÷ 358 N = 8.6 倍
発明品（図６）の安全率 ＝ 2840 N ÷ 358 N = 7.9 倍
パレットで8段積みの場合、最下段（8段）では7段（箱）分の51.1 kgの荷重となる。ここで、51.1 kg × 9.81 N/kg = 501 N となる。
【００４０】
従来品（図２）の安全率 ＝ 3077 N ÷ 501 N = 6.1 倍
発明品（図６）の安全率 ＝ 2840 N ÷ 501 N = 5.7 倍
製品なしの包装箱の場合、従来品と発明品とで安全率は同等であった。
・ 製品ありの包装箱の耐圧（圧縮）強度 ： 充填箱の場合
ブリックパック 1000mL（製品）の入っている状態で、包装箱の耐圧強度を測定した。
【００４１】
従来品（図２）の耐圧強度 ＝ 4040 N
発明品（図６）の耐圧強度 ＝ 3870 N
製品ありの包装箱の場合、現行品と発明品とで耐圧強度は同等であった。
【００４２】
ブリックパック（1000mL）×6本 = 1箱分（7.3 kg）の荷重の負荷について計算した。パレットで6段積みの場合、最下段（6段）では5段（箱）分の36.5 kgの荷重となる。ここで、36.5 kg × 9.81 N/kg = 358 N となる。
【００４３】
従来品（図２）の安全率 ＝ 4040 N ÷ 358 N = 11.3 倍 、
発明品（図６）の安全率 ＝ 3870 N ÷ 358 N = 10.8 倍
パレットで8段積みの場合、最下段（8段）では7段（箱）分の51.1 kgの荷重となる。ここで、51.1 kg × 9.81 N/kg = 501 N となる。
【００４４】
従来品（図２）の安全率 ＝ 4040 N ÷ 501 N = 8.1 倍 、
発明品（図６）の安全率 ＝ 3870 N ÷ 501 N = 7.7 倍
製品ありの包装箱の場合、現行品と発明品とで安全率は同等であった。
【００４５】
以上の実験結果より、従来品と比べて発明品では、耐圧強度が約4.2%で低下していることが分かった。ただし、製品ありの包装箱の場合で、安全率が10倍以上を確保できており、流通上では全く問題ないと判断できた。
（実施例２）包装箱の開封負荷力の検討 ： 製品（ブリックパック 1000mL）
ブリックパック 1000mL（製品）の包装箱の開封負荷力を測定した。開封負荷力の評価方法は、下記の通りである。なお、開封負荷力は相対的に比較することで評価する数値である。
【００４６】
（１）プッシュプルゲージで開封力を測定する。（Ｎ）
（２）開封負荷力の掛かっている距離を測定する。（cm）
（３）開封負荷力 ＝ 開封力 × 距離  として計算（数値化）する。（Ｎ・cm）
（４）開封箇所の全部の数値を合計して、その包装箱の開封負荷力とする。（Ｎ・cm）
従来品（図２）の開封負荷力 = 5340 N・cm = 120 N・cm ＋ 5220 N・cm
（フラップの剥がし分 ＝ 30 N × 1 cm × 4箇所 = 120 N・cm）
（カットテープの破り分 ＝ 60 N × 43.5 cm × 2箇所 = 5220 N・cm）
発明品（図６）の開封負荷力 = 2145 N・cm = 1425 N・cm ＋ 720 N・cm
（フラップの剥がし分 ＝ 50 N × 28.5 cm × 1箇所 = 1425 N・cm）
（ミシン目の破り分 ＝ 30 N × 12 cm × 2箇所 = 720 N・cm）
以上の実験結果より、従来品（5340 N・cm）と比べて発明品（2145 N・cm）では、開封負荷力が半分以下に低下していることが分かった。
【００４７】
従来品では、カットテープを切り破る強度が高く、切り破る距離が長いため、負荷が大きくなり、実際にはカットテープを使わず、箱側面を開封して製品を取り出すことも多い。そして、従来品では、箱本体の開封後にバラバラに分離されて、組立部品が散らばり、保管の外観が悪くなる。このとき、保管時に箱本体の形状が安定せず、箱内部の製品が減ってくると、箱本体の形状が保持されなくなることも多い。
【００４８】
一方、発明品では、箱本体の開封に必要な手順を極力減らして、箱前面のフラップを剥がす際にも、フラップの握る幅を広くすることで、数値以上に開封の官能性が良好に工夫されている。そして、発明品では、箱本体の開封後にも保管の外観は良好であり、箱本体の形状が保持される。
【００４９】
実施例１と実施例２より明らかなように、ラップアラウンド式の段ボール包装箱で開封性を向上して、強度などを確保できた。箱本体の開封後の保管では、箱内部の衛生性を向上した。カットテープが不要となり、包材費を低減できた。
【産業上の利用可能性】
【００５０】
本願発明は、各種の物品を物流に供するための梱包用の包装箱として広く利用することができる。
【符号の説明】
【００５１】
１０  前面側の側板
１１  底板
１２  背面側の側板
１３  蓋板
１４、１５  折曲げ線
１６  接合片
１９  折曲げ線
２０  側板フラップ
２１  折曲げ線
２２  補助フラップ
２３  カットテープ
２４  個装ケース
３０  段ボール原紙
３１  前面側の側板
３２  底板
３３  背面側の側板
３４  蓋板
３５  折曲げ線
３６  接合片
３７  破断線
４０  側板フラップ
４１  折曲げ線
４２  側板フラップ
４３  折曲げ線
４４  補助フラップ
４５  折曲げ線
４６  補助フラップ
４７  破断線
４８  折曲げ線
５２  破断線
５３、５４  縦方向の切込み
５５  切欠き
５７  糊付け部分
５８  段部
６０  個装ケース
【図１】
0005512203.tif 000002
【図２】
0005512203.tif 000003
【図３】
0005512203.tif 000004
【図４】
0005512203.tif 000005
【図５】
0005512203.tif 000006
【図６】
0005512203.tif 000007
【図７】
0005512203.tif 000008
【図８】
0005512203.tif 000009
【図９】
0005512203.tif 000010
【図１０】
0005512203.tif 000011
【図１１】
0005512203.tif 000012
【図１２】
0005512203.tif 000013